(57)【要約】【課題】ガラス保持金具を備えることで優れた防火性能を有するとともに、優れた施工性を有する開口部装置およびその施工方法を提供すること。【解決手段】上枠１００、下枠２００および左右の縦枠３００，４００により枠組みされた窓枠１０と、窓枠１０内に嵌め込まれて固定されたガラス２０と、を備える開口部装置３０であって、縦枠３００，４００とガラス２０の側縁部との間でガラス２０の周縁部２０ａの上下方向に延設されたガラス保持金具７０をさらに備え、ガラス保持金具７０は、窓枠１０に固定され且つスリット７１０が形成された第１ガラス保持金具７１と、スリット７１０に係合する突起部７２０が形成された第２ガラス保持金具７２と、を備えることを特徴とする開口部装置３０およびその施工方法である。【選択図】図５
2014156732.tif 000002
【特許請求の範囲】
【請求項１】
上枠、下枠および左右の縦枠により枠組みされた枠体と、該枠体内に嵌め込まれて固定されたガラスと、を備える開口部装置であって、
前記縦枠と前記ガラスの側縁部との間で前記ガラスの周縁部の上下方向に延設されたガラス保持金具をさらに備え、
前記ガラス保持金具は、前記枠体に固定され且つ第１係合部が形成された第１ガラス保持金具と、前記第１係合部に係合する第２係合部が形成された第２ガラス保持金具と、を備えることを特徴とする開口部装置。
【請求項２】
前記第１ガラス保持金具は、見付方向に延在する第１見付部を有し、
前記第２ガラス保持金具は、見込方向に延在する第２見込部を有し、
前記第１係合部は、前記第１見付部に上下方向に延びて形成され、
前記第２係合部は、前記第２見込部の見込方向の一方の端部に上下方向に延びて形成されていることを特徴とする請求項１に記載の開口部装置。
【請求項３】
前記第１係合部は、上下方向に延びるスリットであり、
前記第２係合部は、前記第２見込部の見込方向の一方の端部から突出して前記スリットに係合する突起部であることを特徴とする請求項２に記載の開口部装置。
【請求項４】
前記突起部は、見込方向に延出する延出部と、該延出部から見付方向に屈曲して延出する屈曲部を含んで構成され、
前記スリットは、前記屈曲部が挿通可能な大きな幅を有する第１スリットと、該第１スリットの下端から下方に連続して形成され且つ下方に向かうに従い幅が小さくなる第２スリットと、該第２スリットの下端から下方に連続して形成され且つ前記延出部が嵌合可能な小さな幅を有する第３スリットを含んで構成され、
前記屈曲部が前記第１スリットに挿通された後、前記第２ガラス保持金具が下方にスライドされて前記延出部が前記第３スリットに嵌合することで、前記突起部と前記スリットが互いに係合していることを特徴とする請求項３に記載の開口部装置。
【請求項５】
前記第１ガラス保持金具は、見込方向に延在する第１見込部を有し、
前記第１見込部と前記第２見込部のうち少なくとも一方には、加熱発泡材が取り付けられていることを特徴とする請求項２から４いずれかに記載の開口部装置。
【請求項６】
前記第１ガラス保持金具および前記第２ガラス保持金具は、いずれも、前記縦枠の上端近傍から下端近傍に亘って通しで設けられていることを特徴とする請求項１から５いずれかに記載の開口部装置。
【請求項７】
前記枠体の屋内側および屋外側のいずれか一方側には、前記ガラスの周縁部を支持するガラス支持部が設けられ、
前記枠体の他方側には、前記ガラス支持部との間で前記ガラスの周縁部を挟持する押縁部材が取り付けられていることを特徴とする請求項１から６いずれかに記載の開口部装置。
【請求項８】
前記ガラス支持部は、前記枠体の屋外側に設けられ、
前記押縁部材は、前記枠体の屋内側に取り付けられていることを特徴とする請求項７記載の開口部装置。
【請求項９】
枠体の屋内側および屋外側のいずれか一方側に設けられたガラス支持部との間で、ガラスの周縁部を挟持する押縁部材が前記枠体の他方側に取り付けられた開口部装置の施工方法であって、
第１ガラス保持金具が左右の縦枠に予め取り付けられた前記枠体を、建物の壁に形成された開口部に納める第１工程と、
前記他方側から前記枠体内に前記ガラスを嵌め込む第２工程と、
前記縦枠と前記ガラスの側縁部との間に、前記他方側から第２ガラス保持金具を挿入し、該第２ガラス保持金具に形成された第２係合部と前記第１ガラス保持金具に形成された第１係合部を互いに係合させることで、前記第１ガラス保持金具を介して前記第２ガラス保持金具を前記縦枠に固定する第３工程と、
前記他方側から前記押縁部材を前記枠体に取り付ける第４工程と、を有することを特徴とする開口部装置の施工方法。
【発明の詳細な説明】
【技術分野】
【０００１】
本発明は、開口部装置およびその施工方法に関する。詳しくは、優れた防火性能を有する開口部装置およびその施工方法に関する。
【背景技術】
【０００２】
従来、防火性能を向上させた引違い窓が提案されている（例えば、特許文献１参照）。特許文献１の引違い窓では、障子を構成する各框の内側に形成されたガラス保持溝内に、ステンレス製の断面視コ字状のガラス保持金具（ガラス間口補強材）がガラスの周縁部を覆うように設けられ、ガラス保持溝のガラス側の壁にねじ止めされている。これにより、火災発生時にガラス保持溝の屋内側又は屋外側の壁が溶融して変形した場合であっても、ガラス保持金具でガラスを保持できるため、ガラスの脱落を防止できる。
【先行技術文献】
【特許文献】
【０００３】
【特許文献１】特開２０１２−１２２３０３号公報
【発明の概要】
【発明が解決しようとする課題】
【０００４】
しかしながら、特許文献１のガラス保持金具は、その形状が断面視コ字状であるため、ガラスの取り付けと同時に障子に取り付ける必要があった。そのため、施工性に難があり、施工性の向上が求められていた。
【０００５】
本発明は上記に鑑みてなされたものであり、その目的は、ガラス保持金具を備えることで優れた防火性能を有するとともに、優れた施工性を有する開口部装置およびその施工方法を提供することにある。
【課題を解決するための手段】
【０００６】
上記目的を達成するため本発明は、上枠（例えば、後述の上枠１００）、下枠（例えば、後述の下枠２００）および左右の縦枠（例えば、後述の左右の縦枠３００，４００）により枠組みされた枠体（例えば、後述の窓枠１０）と、該枠体内に嵌め込まれて固定されたガラス（例えば、後述のガラス２０）と、を備える開口部装置（例えば、後述の開口部装置３０）であって、前記縦枠と前記ガラスの側縁部との間で前記ガラスの周縁部（例えば、後述のガラスの周縁部２０ａ）の上下方向に延設されたガラス保持金具（例えば、後述のガラス保持金具７０）をさらに備え、前記ガラス保持金具は、前記枠体に固定され且つ第１係合部（例えば、後述のスリット７１０）が形成された第１ガラス保持金具（例えば、後述の第１ガラス保持金具７１）と、前記第１係合部に係合する第２係合部（例えば、後述の突起部７２０）が形成された第２ガラス保持金具（例えば、後述の第２ガラス保持金具７２）と、を備えることを特徴とする開口部装置を提供する。
【０００７】
本発明では、縦枠とガラスの側縁部との間で、ガラスの周縁部の上下方向に延びるガラス保持金具を設ける。また、ガラス保持金具を、枠体に固定され且つ第１係合部が形成された第１ガラス保持金具と、第１係合部に係合する第２係合部が形成された第２ガラス保持金具で構成する。
これにより、予め第１ガラス保持金具を取り付けた枠体に対して、ガラスを嵌め込んだ後、第１ガラス保持金具の第１係合部に対して第２ガラス保持金具の第２係合部を係合させることで、第１ガラス保持金具と第２ガラス保持金具で構成されるガラス保持金具を開口部装置に取り付けできる。従って、優れた防火性能が得られるとともに、第２ガラス保持金具を後付けできるため、優れた施工性が得られる。
また、第１係合部に対して第２係合部を係合させることで、第１ガラス保持金具を介して第２ガラス保持金具を枠体に固定できるため、例えば、後付けする第２ガラス保持金具をねじ止めするスペースが確保できない構造であっても、ガラス保持金具を枠体に取り付けできる。さらには、ねじ止め等が不要であるため建て込み時間を短縮できるうえ、枠体の既存形状を変更する必要がなく、製造コストを削減できる。
【０００８】
前記第１ガラス保持金具は、見付方向に延在する第１見付部（例えば、後述の第１見付部７１ｂ）を有し、前記第２ガラス保持金具は、見込方向に延在する第２見込部（例えば、後述の第２見込部７２ａ）を有し、前記第１係合部は、前記第１見付部に上下方向に延びて形成され、前記第２係合部は、前記第２見込部の見込方向の一方の端部に上下方向に延びて形成されていることが好ましい。
【０００９】
この発明では、第１ガラス保持金具の第１見付部に、上下方向に延びる第１係合部を形成するとともに、第２ガラス保持金具の第２見込部における見込み方向の一方の端部に、上下方向に延びる第２係合部を形成する。
これにより、第１係合部が見付方向の面に形成されるため、屋内側および屋外側のいずれか一方側から第２ガラス保持金具を後付けする際に、第２見込部の見込方向の一端に形成された第２係合部を、第１係合部に容易に係合させることができる。従って、より優れた施工性が得られる。
また、第１係合部および第２係合部が上下方向に延設されるため、第１ガラス保持金具を介して第２ガラス保持金具をより確実に枠体に固定できる。
【００１０】
前記第１係合部は、上下方向に延びるスリット（例えば、後述のスリット７１０）であり、前記第２係合部は、前記第２見込部の見込方向の一方の端部から突出して前記スリットに係合する突起部（例えば、後述の突起部７２０）であることが好ましい。
【００１１】
この発明では、第１係合部を、上下方向に延びるスリットとし、第２係合部を、第２見込部の見込方向の一方の端部から突出してスリットに係合する突起部とする。
これにより、簡単な構造で上述の各効果が得られる。
【００１２】
前記突起部は、見込方向に延出する延出部（例えば、後述の延出部７２１）と、該延出部から見付方向に屈曲して延出する屈曲部（例えば、後述の屈曲部７２２）を含んで構成され、前記スリットは、前記屈曲部が挿通可能な大きな幅を有する第１スリット（例えば、後述の第１スリット７１１）と、該第１スリットの下端から下方に連続して形成され且つ下方に向かうに従い幅が小さくなる第２スリット（例えば、後述の第２スリット７１２）と、該第２スリットの下端から下方に連続して形成され且つ前記延出部が嵌合可能な小さな幅を有する第３スリット（例えば、後述の第３スリット７１３）を含んで構成され、前記屈曲部が前記第１スリットに挿通された後、前記第２ガラス保持金具が下方にスライドされて前記延出部が前記第３スリットに嵌合することで、前記突起部と前記スリットが互いに係合していることが好ましい。
【００１３】
この発明では、突起部を、見込方向に延出する延出部と、該延出部から見付方向に屈曲して延出する屈曲部で構成する。また、スリットを、屈曲部が挿通可能な大きな幅を有する第１スリットと、該第１スリットの下端から下方に連続して形成され且つ下方に向かうに従い幅が小さくなる第２スリットと、該第２スリットの下端から下方に連続して形成され且つ延出部が嵌合可能な小さな幅を有する第３スリットで構成する。
これにより、屈曲部を第１スリットに挿通した後、第２ガラス保持金具を下方にスライドさせて延出部を第３スリットに嵌合させることで、突起部をスリットに係合させることができる。即ち、このような簡単な取り付け動作により、第１ガラス保持金具と第２ガラス保持金具で構成されるガラス保持金具を開口部装置に取り付けできるため、より優れた施工性が得られる。
【００１４】
前記第１ガラス保持金具は、見込方向に延在する第１見込部（例えば、後述の第１見込部７１ａ）を有し、前記第１見込部と前記第２見込部のうち少なくとも一方には、加熱発泡材（例えば、後述の加熱発泡材４０５）が取り付けられていることが好ましい。
【００１５】
この発明では、第１ガラス保持金具の第１見込部と第２ガラス保持金具の第２見込部のうち少なくとも一方に、加熱発泡材を取り付ける。
これにより、火災発生時には、熱で加熱発泡材が発泡して膨張し、縦枠とガラスの側縁部との間の空間を塞ぐことができる。従って、該空間を通って熱風や煙が屋内に侵入するのを回避でき、より優れた防火性能が得られる。
【００１６】
前記第１ガラス保持金具および前記第２ガラス保持金具は、いずれも、前記縦枠の上端近傍から下端近傍に亘って通しで設けられていることが好ましい。
【００１７】
この発明では、第１ガラス保持金具および第２ガラス保持金具いずれも、縦枠の上端近傍から下端近傍に亘って、通しで設ける。
これにより、火災発生時において、ガラス保持金具でガラスをより確実に保持でき、より優れた防火性能が得られる。また、ガラス保持金具を上下方向に複数分割して設ける場合と比べて、取り付けが容易であり、より優れた施工性が得られる。
【００１８】
前記枠体の屋内側および屋外側のいずれか一方側（例えば、屋外側）には、前記ガラスの周縁部を支持するガラス支持部（例えば、後述の上枠ガラス支持部１１１ｂ，縦枠ガラス支持部１１３ａ，１１４ａ）が設けられ、前記枠体の他方側（例えば、屋内側）には、前記ガラス支持部との間で前記ガラスの周縁部を挟持する押縁部材（例えば、後述の上枠内押縁部材３１，縦枠内押縁部材３２，３２）が取り付けられていることが好ましい。
【００１９】
この発明では、枠体の屋内側および屋外側のいずれか一方側に、ガラスの周縁部を支持するガラス支持部を設けるとともに、枠体の他方側に、ガラス支持部との間でガラスの周縁部を挟持する押縁部材を取り付ける。即ち、押縁構造の窓に対して、上記の各発明を適用する。
このような押縁構造では、ガラスと枠体の間隔が狭くなる場合があり、その場合には、従来のように断面視コ字状のガラス保持金具をガラスの取り付けと同時に枠体に取り付けてねじ止めするのが困難となる。これに対してこの発明によれば、第１ガラス保持金具を予め枠体に固定でき、後付けする第２ガラス保持金具をねじ止めすることなく第１ガラス保持金具を介して枠体に固定できるため、押縁構造の窓であっても優れた施工性が得られる。
【００２０】
前記ガラス支持部は、前記枠体の屋外側に設けられ、前記押縁部材は、前記枠体の屋内側に取り付けられていることが好ましい。
【００２１】
この発明では、ガラス支持部を枠体の屋外側に設けるとともに、押縁部材を枠体の屋内側に取り付ける。即ち、内押縁構造の窓に対して、上記の各発明を適用する。
ここで、図８は、従来の内押縁構造を有する嵌め殺し窓８の右縦枠８１近傍の拡大横断面図である。図８に示すように、右縦枠８１を構成する樹脂右枠８５に取り付けられ、且つ緩衝部材８９を介して屋内側からガラス８２を押圧する内押縁部材８４を備える嵌め殺し窓８では、ガラス８２の側縁部と右縦枠８１との間の空間８０は屋内側に開放しており、その開放幅は小さい。より詳しくは、右縦枠８１の屋内側には額縁８７を取り付けるために、上記樹脂右枠８５が内側に張り出しているため、上記空間８０の開放幅が小さくなっている。そのため、上記空間８０内にねじやドライバーを挿入できないため、ガラス保持金具を右縦枠８１にねじ止めできない。
これに対してこの発明によれば、第１ガラス保持金具を予め枠体に固定でき、後付けする第２ガラス保持金具をねじ止めすることなく第１ガラス保持金具を介して枠体に固定できるため、内押縁構造の窓であっても優れた施工性が得られる。
【００２２】
また、枠体（例えば、後述の窓枠１０）の屋内側および屋外側のいずれか一方側（例えば、後述の屋外側）に設けられたガラス支持部（例えば、後述の上枠ガラス支持部１１１ｂ，縦枠ガラス支持部１１３ａ，１１４ａ）との間で、ガラスの周縁部（例えば、後述のガラスの周縁部２０ａ）を挟持する押縁部材（例えば、後述の上枠内押縁部材３１，縦枠内押縁部材３２，３２）が前記枠体の他方側（例えば、後述の屋内側）に取り付けられた開口部装置（例えば、後述の開口部装置３０）の施工方法であって、第１ガラス保持金具（例えば、後述の第１ガラス保持金具７１）が左右の縦枠（例えば、後述の左右の縦枠３００，４００）に予め取り付けられた前記枠体を、建物の壁（例えば、後述の壁５）に形成された開口部（例えば、後述の開口部６）に納める第１工程と、前記他方側から前記枠体内に前記ガラスを嵌め込む第２工程と、前記縦枠と前記ガラスの側縁部との間に、前記他方側から第２ガラス保持金具（例えば、後述の第２ガラス保持金具７２）を挿入し、該第２ガラス保持金具に形成された第２係合部（例えば、後述の突起部７２０）と前記第１ガラス保持金具に形成された第１係合部（例えば、後述のスリット７１０）を互いに係合させることで、前記第１ガラス保持金具を介して前記第２ガラス保持金具を前記縦枠に固定する第３工程と、前記他方側から前記押縁部材を前記枠体に取り付ける第４工程と、を有することを特徴とする開口部装置の施工方法を提供する。
【００２３】
この発明では、先ず、第１ガラス保持金具が左右の縦枠に予め取り付けられた枠体を、建物の開口部に納める。次いで、ガラス支持部が形成されていない側から、枠体内にガラスを嵌め込む。次いで、縦枠とガラスの側縁部との間に、ガラス支持部が形成されていない側から第２ガラス保持金具を挿入し、第２ガラス保持金具の第２係合部と第１ガラス保持金具の第１係合部を互いに係合させることで、第１ガラス保持金具を介して第２ガラス保持金具を縦枠に固定する。最後に、ガラス支持部が形成されていない側から押縁部材を枠体に取り付ける。
本発明によれば、以上のような簡易な施工手順により、ガラス保持金具を備えることで優れた防火性能を有する開口部装置を施工できる。
【発明の効果】
【００２４】
本発明によれば、ガラス保持金具を備えることで優れた防火性能を有するとともに、優れた施工性を有する開口部装置およびその施工方法を提供できる。
【図面の簡単な説明】
【００２５】
【図１】本発明の一実施形態に係る嵌め殺し窓を室内側から見たときの正面図である。
【図２】上記実施形態に係る嵌め殺し窓の縦断面図である。
【図３】上記実施形態に係る嵌め殺し窓の横断面図である。
【図４】上記実施形態に係る嵌め殺し窓の右縦枠近傍の拡大横断面図である。
【図５】上記実施形態に係る第１ガラス保持金具および第２ガラス保持金具を示す図である。
【図６】上記実施形態に係る第１ガラス保持金具のスリットに第２ガラス保持金具の突起部を係合させる手順を示す図である。
【図７】上記実施形態に係るガラス保持金具を示す図である。
【図８】従来の内押縁構造を有する嵌め殺し窓の右縦枠近傍の拡大横断面図である。
【発明を実施するための形態】
【００２６】
以下、本発明の一実施形態について、図面を参照しながら詳しく説明する。なお、本明細書において、「見付方向」とは、建物の壁に形成された開口部に納められた嵌め殺し窓におけるガラスの面方向（即ち、左右方向）を意味し、「見込方向」とは、上記ガラスの厚さ方向（即ち、奥行き方向）を意味する。
【００２７】
図１は、本実施形態に係る嵌め殺し窓１を室内側から見たときの正面図である。図１に示すように、嵌め殺し窓１は、建物の壁５に形成され且つ開口縁に額縁６０が取り付けられた開口部６に納められる。嵌め殺し窓１は、上枠１００、下枠２００および左右の縦枠３００，４００により矩形に枠組みされた枠体としての窓枠１０と、該窓枠１０内に嵌め込まれて固定された矩形のガラス２０と、を備える開口部装置３０により構成される。
【００２８】
窓枠１０は、矩形に枠組みされた金属枠１１と、該金属枠１１の屋内側を覆い且つ矩形に枠組みされた樹脂枠１２と、を含んで構成される。即ち、本実施形態に係る嵌め殺し窓１は、熱伝導率の低い樹脂枠１２で金属枠１１の屋内側部分が覆われているため、優れた断熱性を有する。
【００２９】
金属枠１１は、例えばアルミで構成される。より具体的には、金属枠１１は、アルミを押出し成形することで得られる。
金属枠１１は、金属上枠１１１と、金属下枠１１２と、左右の金属縦枠１１３，１１４で構成され、隣接する枠同士はねじ止めにより固定される。
【００３０】
樹脂枠１２は、例えば塩化ビニル樹脂等の合成樹脂で構成される。より具体的には、樹脂枠１２は、例えば塩化ビニル樹脂等の合成樹脂を押出し成形することで得られる。
樹脂枠１２は、樹脂上枠１２１と、樹脂下枠１２２と、左右の樹脂縦枠１２３，１２４で構成される。樹脂上枠１２１は金属上枠１１１に取り付けられ、樹脂下枠１２２は金属下枠１１２に取り付けられ、左右の樹脂縦枠１２３，１２４はそれぞれ左右の金属縦枠１１３，１１４に取り付けられる。
即ち、本実施形態では、上枠１００は金属上枠１１１と樹脂上枠１２１で構成され、下枠２００は金属下枠１１２と樹脂下枠１２２で構成され、左右の縦枠３００，４００はそれぞれ、金属縦枠１１３と樹脂縦枠１２３、金属縦枠１１４と樹脂縦枠１２４で構成される。
【００３１】
図２は、本実施形態に係る嵌め殺し窓１の縦断面図である。図２に示すように、ガラス２０は、屋内側の板ガラス２１と、屋外側の板ガラス２２と、これら２枚の板ガラスで挟持されたスペーサ２３と、を備える複層ガラスであり、優れた断熱性を有する。
【００３２】
金属下枠１１２は、仕切り壁１１２ｃで仕切られた下方側中空部１１２ｂと上方側中空部１１２ａを有するホロー構造である。上方側中空部１１２ａ内には、例えばＳＵＳ製の下枠補強芯材１１２ｄが設けられる。下枠補強芯材１１２ｄは、断面視略コ字状の長尺部材であり、金属下枠１１２の内壁面に沿って設けられる。より詳しくは、下枠補強芯材１１２ｄは、その開放面を下方側に向けて、後述するずり下がり防止材２０１を固定するねじ２０３により、後述するガラス保持溝１１２ｇの底部に配置された加熱発泡材２０５とともに金属下枠１１２内に固定される。
【００３３】
金属下枠１１２の上方側中空部１１２ａの上方には、屋外側の端部から上方に立設する第１立設部１１２ｅと、屋内側の端部から屋内側に向かって延びた後に上方に屈曲して立設する第２立設部１１２ｆが形成される。これら第１立設部１１２ｅと第２立設部１１２ｆにより、ガラス２０の下端部が挿入されてガラス２０を保持するガラス保持溝１１２ｇが形成される。
【００３４】
ガラス保持溝１１２ｇ内には、例えばＳＵＳ製のずり下がり防止材２０１が配設される。ガラス２０は、このずり下がり防止材２０１上に加熱発泡材２０２を介して支持される。ずり下がり防止材２０１は、断面視略コ字状の長尺部材であり、その開放面を下方側、即ち金属下枠１１２側に向けて、金属下枠１１２のガラス保持溝１１２ｇの底部にねじ２０３で固定される。このずり下がり防止材２０１は、屋外側の側面２０４が長手方向所定間隔ごとに外側方向に１８０度折り曲げられ、折り曲げられた側面２０４がガラス保持溝１１２ｇの屋外側の内壁面、即ち第１立設部１１２ｅの内壁面に当接している。
【００３５】
第１立設部１１２ｅの先端には緩衝部材２０６が取り付けられており、第１立設部１１２ｅは緩衝部材２０６を介してガラス２０の周縁部２０ａを支持する。
【００３６】
第２立設部１１２ｆの先端には、屋内側に向かって略水平に延出する下枠水平部１１２ｈが形成される。また、該下枠水平部１１２ｈから略垂直に下方に延出する下枠垂直部１１２ｉが形成される。
下枠水平部１１２ｈ上には、樹脂下枠１２２を構成し且つ見込方向に沿ってガラス２０側に延びるガラス保持部材１２２ａが取り付けられる。ガラス保持部材１２２ａの先端には、緩衝部材２０７が取り付けられ、ガラス保持部材１２２ａは、緩衝部材２０７を介してガラス２０の周縁部２０ａを支持する。これにより、ガラス保持部材１２２ａと第１立設部１１２ｅとの間で、ガラス２０の周縁部２０ａが挟持される。
また、下枠垂直部１１２ｉの屋内側には、樹脂下枠１２２を構成する樹脂下枠本体部１２２ｂが取り付けられている。
【００３７】
金属上枠１１１は、中空部１１１ａを有するホロー構造である。中空部１１１ａの下面側には、断面視略Ｌ字状の上枠補強金具１０１が取り付けられる。上枠補強金具１０１は、加熱発泡材１０２とともに中空部１１１ａの下面側にねじ１０３により固定される。
【００３８】
金属上枠１１１の中空部１１１ａの下面側の屋外側端部には、下方に突出する上枠ガラス支持部１１１ｂが形成される。上枠ガラス支持部１１１ｂの先端には緩衝部材１０４が取り付けられており、上枠ガラス支持部１１１ｂは緩衝部材１０４を介してガラス２０の周縁部２０ａを支持する。
【００３９】
金属上枠１１１の中空部１１１ａの下面側の屋内側端部には、屋内側に略水平に延出する上枠水平部１１１ｃと、該上枠水平部１１１ｃから略垂直に上方に延出する上枠垂直部１１１ｄが形成される。
これら上枠水平部１１１ｃと上枠垂直部１１１ｄには、樹脂上枠１２１を構成する樹脂上枠本体部１２１ａが取り付けられる。
【００４０】
樹脂上枠本体部１２１ａには、上枠内押縁部材３１が取り付けられる。上枠内押縁部材３１の先端には緩衝部材１０５が取り付けられており、上枠内押縁部材３１は緩衝部材１０５を介してガラス２０の周縁部２０ａを押圧する。これにより、上枠内押縁部材３１と上枠ガラス支持部１１１ｂとの間で、ガラス２０の周縁部２０ａが挟持される。
【００４１】
図３は、本実施形態に係る嵌め殺し窓１の横断面図である。また、図４は、本実施形態に係る嵌め殺し窓１の右縦枠４００近傍の拡大横断面図である。なお、右縦枠４００の構成と左縦枠３００の構成は同一であるため、以下では右縦枠４００の構成のみを説明する。
【００４２】
図３および図４に示すように、金属縦枠１１４の屋外側には、金属縦枠１１４から見付方向に沿ってガラス２０側に突出する縦枠ガラス支持部１１４ａが形成される。縦枠ガラス支持部１１４ａの先端には緩衝部材４０１が取り付けられており、縦枠ガラス支持部１１４ａは緩衝部材４０１を介してガラス２０の周縁部２０ａを支持する。
【００４３】
金属縦枠１１４の屋内側のガラス２０側には、樹脂縦枠１２４を構成する樹脂縦枠本体部１２４ａが取り付けられる。額縁４０２により、後述する樹脂縦枠１２４を構成する樹脂縦枠本体部１２４ａがガラス２０側に張り出しているため、ガラス２０の側縁部と縦枠４００との間の空間が狭くなっている。
【００４４】
樹脂縦枠本体部１２４ａには中空の長尺部材で構成された縦枠内押縁部材３２が取り付けられる。縦枠内押縁部材３２のガラス２０側の先端には緩衝部材４０３が取り付けられており、縦枠内押縁部材３２は緩衝部材４０３を介してガラス２０の周縁部２０ａを押圧する。これにより、縦枠内押縁部材３２と上述の縦枠ガラス支持部１１４ａとの間で、ガラス２０の周縁部２０ａが挟持される。
【００４５】
金属縦枠１１４とガラス２０の側縁部との間の空間３内には、ガラス保持金具７０が配設される。ガラス保持金具７０は、ガラス２０の周縁部２０ａの上下方向に延設されている。ガラス保持金具７０は、隙間を設けてガラス２０の周縁部２０ａを覆うように設けられており、火災発生時に縦枠４００が溶融して変形した場合にガラス２０を保持し、ガラス２０の脱落を防止する。
【００４６】
ガラス保持金具７０は、いずれも長尺の板状部材が幅方向に屈曲した第１ガラス保持金具７１および第２ガラス保持金具７２で構成される。本実施形態では、第１ガラス保持金具７１および第２ガラス保持金具７２は、いずれも、縦枠４００の上端近傍から下端近傍に亘って通しで設けられる。
ガラス保持金具７０の材質としては、金属枠１１のアルミよりも溶融温度が高いものが用いられる。具体的には、ステンレスやスチールが用いられる。
【００４７】
第１ガラス保持金具７１は、横断面視略Ｌ字状の長尺部材である。第１ガラス保持金具７１は、ガラス２０を窓枠１０に嵌め込む前に、見込方向に延在する第１見込部７１ａが金属縦枠１１４にねじ４０４で予め固定される。また、第１ガラス保持金具７１の見付方向に延在する第１見付部７１ｂには、第１係合部としてのスリット７１０が形成される。
【００４８】
なお、第１見込部７１ａの屋内側の端部は、見付方向に沿ってガラス２０側に屈曲し、後述する第２ガラス保持金具７２の第２見込部７２ａに当接している。これにより、第２ガラス保持金具７２は該端部で支持される。
また、第１見付部７１ｂのガラス２０側の端部は、ガラス２０の周縁部２０ａにラップするまで見付方向に沿って延びて屋外側に屈曲し、縦枠ガラス支持部１１４ａに当接している。
【００４９】
第２ガラス保持金具７２は、横断面視略Ｌ字状の長尺部材である。第２ガラス保持金具７２は、ガラス２０を窓枠１０に嵌め込んだ後、縦枠内押縁部材３２を取り付ける前に、屋内側から空間３内に挿入される。また、第２ガラス保持金具７２の見込方向に延在する第２見込部７２ａの屋外側の端部には、第１係合部のスリット７１０と互いに係合する第２係合部としての突起部７２０が形成される。
なお、第２見込部７２ａの屋内側の端部は、ガラス２０の周縁部２０ａを覆うように、ガラス２０側に屈曲している。即ち、該端部の先端は、ガラス２０の周縁部２０ａにラップしている。
【００５０】
第２ガラス保持金具７２の第２見込部７２ａのガラス２０側には、加熱発泡材４０５が取り付けられる。この加熱発泡材４０５については、後段で詳述する。
【００５１】
図５は、本記実施形態に係る第１ガラス保持金具７１および第２ガラス保持金具７２を示す図である。より詳しくは、図５は、縦枠４００を構成する金属縦枠１１４に予めねじ止めされた第１ガラス保持金具７１に対して、第２ガラス保持金具７２を後付けするときの様子を示す図である。なお、図５では、ガラス２０の記載を便宜上省略している。
【００５２】
図５に示すように、本実施形態では、第１係合部としてのスリット７１０は、第１見付部７１ｂの上下方向に所定間隔を設けて３つ形成されている。また、第２係合部としての突起部７２０は、第２見込部７２ａの屋外側の端部の上下方向に所定間隔を設けて３つ形成されている。
【００５３】
突起部７２０は、第２見込部７２ａの屋外側の端部から屋外側に突出し、スリット７１０に係合する突起部である。突起部７２０は、屋外側に延出する延出部７２１と、該延出部７２１から見付方向に沿ってガラス２０側に屈曲して延出する屈曲部７２２で構成される。
【００５４】
スリット７１０は、上下方向に延びるスリットである。より詳しくは、スリット７１０は、突起部７２０の屈曲部７２２が挿通可能な大きな幅を有する第１スリット７１１と、該第１スリット７１１の下端から下方に連続して形成され且つ下方に向かうに従い幅が小さくなる第２スリット７１２と、該第２スリット７１２の下端から下方に連続して形成され且つ突起部７２０の延出部７２１が嵌合可能な小さな幅を有する第３スリット７１３で構成される。
【００５５】
図５に示すように、第１ガラス保持金具７１の延設方向（即ち、上下方向）の長さは、金属縦枠１１４の延設方向の長さよりも短く設定される。これにより、縦枠４００の延設方向の長さにある程度の変更が生じた場合であっても、設計変更することなく第１ガラス保持金具７１を利用できるようになっている。従って、第１ガラス保持金具７１は、金属縦枠１１４の上端および下端を除く部分に取り付けられる。
【００５６】
また、第１ガラス保持金具７１と第２ガラス保持金具７２は、延設方向の長さが略同一となっている。ただし、後述するように、第１ガラス保持金具７１に第２ガラス保持金具７２を取り付ける際には、第２ガラス保持金具７２を下方にスライドさせる関係で、第２ガラス保持金具７２は、第１ガラス保持金具７１よりも上方から取り付けられる。
【００５７】
上述したように、第２ガラス保持金具７２の第２見込部７２ａのガラス２０側には、加熱発泡材４０５が取り付けられる。加熱発泡材４０５は、第２見込部７２ａのガラス２０側の略全面に取り付けられており、第２見込部７２ａの上端から下端まで通しで取り付けられる。
また、縦枠４００を構成する金属縦枠１１４のガラス２０側の面のうち、第１ガラス保持金具７１の第１見込部７１ａが当接していない上端および下端の面に、加熱発泡材４０６が取り付けられる。加熱発泡材４０６は、第１見込部７１ａの幅と略同一の幅で取り付けられる。
【００５８】
図６は、本実施形態に係る第１ガラス保持金具７１のスリット７１０に第２ガラス保持金具７２の突起部７２０を係合させる手順を示す図である。図７に示すように、先ず、突起部７２０の屈曲部７２２を、第１スリット７１１に挿通する。次いで、この状態で、第２ガラス保持金具７２を下方にスライドさせる。すると、延出部７２１が第２スリット７１２を通って第３スリット７１３に嵌合する。これにより、突起部７２０とスリット７１０が互いに係合することで、第２ガラス保持金具７２は、第１ガラス保持金具７１を介して金属縦枠１１４に固定される。
【００５９】
図７は、本実施形態に係るガラス保持金具７０を示す図である。より詳しくは、第１ガラス保持金具７１のスリット７１０に第２ガラス保持金具７２の突起部７２０を係合させることで形成されるガラス保持金具７０を示す図である。なお、図７では、図５と同様にガラス２０の記載を便宜上省略している。
【００６０】
図７に示すように、第２ガラス保持金具７２における第２見込部７２ａのガラス２０側の略全面に取り付けられた加熱発泡材４０５と、金属縦枠１１４の上端および下端のガラス２０側の面に取り付けられた加熱発泡材４０６により、縦枠４００の上端から下端まで通しで加熱発泡材が配設されることとなる。これにより、火災発生時には、熱でこれら加熱発泡材が発泡して膨張することで、縦枠４００とガラス２０の側縁部との間の空間が確実に塞がれるようになっている。
【００６１】
次に、本実施形態に係る開口部装置３０の施工方法について説明する。
本実施形態に係る開口部装置３０の施工方法は、第１工程と、第２工程と、第３工程と、第４工程と、を有する。
第１工程では、上述のようにして第１ガラス保持金具７１を左右の縦枠３００，４００に予めねじ止めして取り付けた窓枠１０を、建物の壁５に形成された開口部６に納める。
次いで、第２工程では、屋内側から窓枠１０内にガラス２０を嵌め込む。
【００６２】
第３工程では、縦枠４００（３００）とガラス２０の側縁部との間の空間３内に、屋内側から第２ガラス保持金具７２を挿入する。このとき、図６に示したように、第２ガラス保持金具７２の突起部７２０と、第１ガラス保持金具７１のスリット７１０を互いに係合させる。より詳しくは、突起部７２０の屈曲部７２２を、第１スリット７１１に挿通し、この状態で、第２ガラス保持金具７２を下方にスライドさせることで、延出部７２１を第３スリット７１３に嵌合させる。これにより、突起部７２０とスリット７１０が互いに係合することで、第２ガラス保持金具７２は、第１ガラス保持金具７１を介して金属縦枠１１４に固定される。
【００６３】
次いで、第４工程では、屋内側から、上枠内押縁部材３１、縦枠内押縁部材３２，３２を窓枠１０に取り付ける。
以上により、開口部装置３０により構成される嵌め殺し窓１が施工される。
【００６４】
本実施形態によれば、以下の効果が奏される。
本実施形態では、縦枠３００，４００とガラス２０の側縁部との間で、ガラスの周縁部２０ａの上下方向に延びるガラス保持金具７０を設けた。また、ガラス保持金具７０を、窓枠１０に固定され且つ第１係合部としてのスリット７１０が形成された第１ガラス保持金具７１と、スリット７１０に係合する第２係合部としての突起部７２０が形成された第２ガラス保持金具７２で構成した。
これにより、予め第１ガラス保持金具７１を取り付けた窓枠１０に対して、ガラス２０を嵌め込んだ後、第１ガラス保持金具７１のスリット７１０に対して第２ガラス保持金具７２の突起部７２０を係合させることで、第１ガラス保持金具７１と第２ガラス保持金具７２で構成されるガラス保持金具７０を開口部装置３０に取り付けできる。従って、優れた防火性能が得られるとともに、第２ガラス保持金具７２を後付けできるため、優れた施工性が得られる。
【００６５】
ここで、窓の防火性能は、建築基準法および同施工令等に規定されている。具体的には、加熱温度がＩＳＯに規定されている標準加熱温度曲線となるように、窓を屋内側又は屋外側から２０分間加熱したときに、非加熱側に延焼しないことが必要とされる。より詳しくは、非加熱側へ１０秒を超えて継続する火炎の噴出がないことや、火炎が通る亀裂等の損傷が生じないこと、が必要である。この点、本実施形態に係る開口部装置３０により構成される嵌め殺し窓１は、これらの条件を全て満たしており、優れた防火性能を有する。
【００６６】
また本実施形態によれば、スリット７１０に対して突起部７２０を係合させることで、第１ガラス保持金具７１を介して第２ガラス保持金具７２を窓枠１０に固定できるため、例えば、後付けする第２ガラス保持金具７２をねじ止めするスペースが確保できない構造であっても、ガラス保持金具７０を窓枠１０に取り付けできる。さらには、ねじ止め等が不要であるため建て込み時間を短縮できるうえ、窓枠１０の既存形状を変更する必要がなく、製造コストを削減できる。
【００６７】
また本実施形態では、第１ガラス保持金具７１の第１見付部７１ｂに、上下方向に延びるスリット７１０を形成するとともに、第２ガラス保持金具７２の第２見込部７２ａにおける見込み方向の一方の端部に、上下方向に延びる突起部７２０を形成した。
これにより、スリット７１０が見付方向の面に形成されるため、屋外側から第２ガラス保持金具７２を後付けする際に、第２見込部７２ａの見込方向の一端に形成された突起部７２０を、スリット７１０に容易に係合させることができる。従って、より優れた施工性が得られる。
また、スリット７１０および突起部７２０が上下方向に延設されるため、第１ガラス保持金具７１を介して第２ガラス保持金具７２をより確実に窓枠１０に固定できる。
【００６８】
また本実施形態では、スリット７１０を、上下方向に延びるスリットとし、突起部７２０を、第２見込部７２ａの見込方向の一方の端部から突出してスリット７１０に係合する突起部７２０とした。これにより、簡単な構造で上述の各効果が得られる。
【００６９】
また本実施形態では、突起部７２０を、見込方向に延出する延出部７２１と、該延出部７２１から見付方向に屈曲して延出する屈曲部７２２で構成した。また、スリット７１０を、屈曲部７２２が挿通可能な大きな幅を有する第１スリット７１１と、該第１スリット７１１の下端から下方に連続して形成され且つ下方に向かうに従い幅が小さくなる第２スリット７１２と、該第２スリット７１２の下端から下方に連続して形成され且つ延出部７２１が嵌合可能な小さな幅を有する第３スリット７１３で構成した。
これにより、屈曲部７２２を第１スリット７１１に挿通した後、第２ガラス保持金具７２を下方にスライドさせて延出部７２１を第３スリット７１３に嵌合させることで、突起部７２０をスリット７１０に係合させることができる。即ち、このような簡単な取り付け動作により、第１ガラス保持金具７１と第２ガラス保持金具７２で構成されるガラス保持金具７０を開口部装置３０に取り付けできるため、より優れた施工性が得られる。
【００７０】
また本実施形態では、第２ガラス保持金具７２の第２見込部７２ａに、加熱発泡材４０５を取り付けた。
これにより、火災発生時には、熱で加熱発泡材４０５が発泡して膨張し、縦枠４００とガラス２０の側縁部との間の空間３を塞ぐことができる。従って、該空間３を通って熱風や煙が屋内に侵入するのを回避でき、より優れた防火性能が得られる。
【００７１】
また本実施形態では、第１ガラス保持金具７１および第２ガラス保持金具７２いずれも、縦枠４００の上端近傍から下端近傍に亘って、通しで設けた。
これにより、火災発生時において、ガラス保持金具７０でガラス２０をより確実に保持でき、より優れた防火性能が得られる。また、ガラス保持金具７０を上下方向に複数分割して設ける場合と比べて、取り付けが容易であり、より優れた施工性が得られる。
【００７２】
また本実施形態では、窓枠１０の屋外側に、ガラス２０の周縁部２０ａを支持する上枠ガラス支持部１１１ｂおよび縦枠ガラス支持部１１３ａ，１１４ａを設けるとともに、窓枠１０の屋内側に、上記の各ガラス支持部との間でガラス２０の周縁部２０ａを挟持する上枠内押縁部材３１および縦枠内押縁部材３２，３２を取り付けた。
このような内押縁構造では、上述したようにガラスと窓枠の間隔が狭く（図８参照）、従来のように断面視コ字状のガラス保持金具をガラスの取り付けと同時に窓枠に取り付けてねじ止めするのが困難となる。これに対して本実施形態によれば、第１ガラス保持金具７１を予め窓枠１０に固定でき、後付けする第２ガラス保持金具７２をねじ止めすることなく第１ガラス保持金具７１を介して窓枠１０に固定できるため、内押縁構造の窓であっても優れた施工性が得られる。
【００７３】
また本実施形態では、先ず、第１ガラス保持金具７１が左右の縦枠３００，４００に予め取り付けられた窓枠１０を、建物の開口部６に納めた。次いで、上記の各ガラス支持部が形成されていない屋内側から、窓枠１０内にガラス２０を嵌め込んだ。次いで、縦枠３００，４００とガラス２０の側縁部との間に、上記の各ガラス支持部が形成されていない屋内側から第２ガラス保持金具７２を挿入し、第２ガラス保持金具７２の突起部７２０と第１ガラス保持金具７１のスリット７１０を互いに係合させることで、第１ガラス保持金具７１を介して第２ガラス保持金具７２を縦枠３００，４００に固定した。最後に、上記の各ガラス支持部が形成されていない屋内側から上枠内押縁部材３１および縦枠内押縁部材３２，３２を窓枠１０に取り付けた。
本実施形態によれば、以上のような簡易な施工手順により、ガラス保持金具７０を備えることで優れた防火性能を有する開口部装置３０を施工できる。
【００７４】
なお、本発明は上記実施形態に限定されるものではなく、本発明の目的を達成できる範囲での変形、改良等は本発明に含まれる。
上記実施形態では、本発明に係る窓を嵌め殺しの内押縁構造としたが、これに限定されず、外押縁構造としてもよく、また全ての窓種に適用可能である。
また上記実施形態では、スリット７１０および突起部７２０を上下方向にそれぞれ３つ設けたが、その数は特に限定されない。
また上記実施形態では、第２ガラス保持金具７２の第２見込部７２ａに加熱発泡材４０５を取り付けたが、これに限定されない。第１ガラス保持金具７１の第１見込部７１ａと第２ガラス保持金具７２の第２見込部７２ａのうち少なくとも一方に加熱発泡材が取り付けられていればよい。
【符号の説明】
【００７５】
１…嵌め殺し窓
５…壁
６…開口部
１０…窓枠（枠体）
２０…ガラス
２０ａ…ガラスの周縁部
３０…開口部装置
３１…上枠内押縁部材（押縁部材）
３２…縦枠内押縁部材（押縁部材）
７０…ガラス保持金具
７１…第１ガラス保持金具
７１ａ…第１見込部
７１ｂ…第１見付部
７２…第２ガラス保持金具
７１ａ…第２見込部
１００…上枠
１１１ｂ…上枠ガラス支持部（ガラス支持部）
１１３ａ，１１４ａ…縦枠ガラス支持部（ガラス支持部）
２００…下枠
３００，４００…左右の縦枠
４０５，４０６…加熱発泡材
７１０…スリット（第１係合部）
７１１…第１スリット
７１２…第２スリット
７１３…第３スリット
７２０…突起部（第２係合部）
７２１…延出部
７２２…屈曲部
【図１】
2014156732.tif 000003
【図２】
2014156732.tif 000004
【図３】
2014156732.tif 000005
【図４】
2014156732.tif 000006
【図５】
2014156732.tif 000007
【図６】
2014156732.tif 000008
【図７】
2014156732.tif 000009
【図８】
2014156732.tif 000010